(57)【特許請求の範囲】
【請求項１】
略円錐台形状に形成されたセキュリティナットをボルトに螺合させて締め付けるために使用するセキュリティナット締結用工具であって、
前記セキュリティナットの外周テーパ面を収容する内空間を備えた中空体部と、この中空体部の上部に突出形成された回転用把持部と、この回転用把持部の軸線に沿って前記中空体部の内空間に連通されており前記セキュリティナットの頭部から突出するボルトに螺合する頭部雌ねじ部と、前記中空体部の内壁面に固定されており前記セキュリティナットの外周テーパ面に合わせてほぼ同一の傾斜角度に形成された内周テーパ面を備え、かつ弾力性を備えた弾力性摩擦部材とを有することを特徴とするセキュリティナット締結用工具。
【請求項２】
略円錐台形状を備えたセキュリティナットをボルトから取り外す際に使用するセキュリティナット解除用工具であって、
前記セキュリティナットの外周テーパ面を収容する内空間を備えていると共にその外周テーパ面に合わせてほぼ同一の傾斜角度に形成された内壁面を有する中空体部と、この中空体部の上部に突出形成された回転用把持部と、この回転用把持部の軸線に沿って前記中空体部の内空間に連通されており前記セキュリティナットの頭部から突出しているボルトに螺合する頭部雌ねじ部とを有しており、
前記中空体部には、外側面から前記内空間へ貫通された側部雌ねじ孔が形成されていると共に、この側部雌ねじ孔にねじ込まれて前記セキュリティナットの外周テーパ面に係合する係合ねじが備えられていることを特徴とするセキュリティナット解除用工具。
【請求項３】
略円錐台形状を備えたセキュリティナットをボルトに締め付ける際あるいは締結を解除する際に使用するセキュリティナット締結兼解除用工具であって、
前記セキュリティナットの外周テーパ面を収容する内空間を備えた中空体部と、この中空体部の上部に突出形成された回転用把持部と、この回転用把持部の軸線に沿って前記中空体部の内空間に連通されており前記セキュリティナットの頭部から突出しているボルトに螺合する頭部雌ねじ部と、前記中空体部の内壁面に固定され前記セキュリティナットの外周テーパ面に合わせてほぼ同一の傾斜角度に形成された内周テーパ面を備え、かつ弾力性を備えた弾力性摩擦部材とを有しており、
前記中空体部には、外側面から前記内空間へ貫通された側部雌ねじ孔が形成されていると共に、この側部雌ねじ孔に連通するように前記摩擦部材にねじ挿入孔が形成されており、前記側部雌ねじ孔にねじ込まれて前記ねじ挿入孔を介して前記セキュリティナットの外周テーパ面に係合する係合ねじが備えられていることを特徴とするセキュリティナット締結兼解除用工具。
【発明の詳細な説明】
【技術分野】
【０００１】  本発明は、テーパーナット等の防犯用の特殊形状ナットの締め付けや解除に使用される工具およびセキュリティナットに関し、特に、通常の工具では不可能な円錐台形状を備えたセキュリティナットの締め付けや取り外しに好適な工具およびこの工具専用のセキュリティナットに関するものである。
【背景技術】
【０００２】  締結具として使用されるボルトのヘッドやナットは、通常、六角形などの多角形状に形成されており、一般人がスパナやモンキーレンチなどの市販工具を使用することで容易に緩められる。このため、近年、いたずら目的で鉄道レールの締結部分が外されたり、自動販売機の固定部分が外されて盗難されるという事件が発生している。【０００３】  このような問題を解決するため、例えば、特開２０００−２０５２２５号公報には、一般人が容易に取り外せないボルトおよびナットが開示されている（特許文献１）。この発明では、ボルトのヘッドやナットが多角形または非円弧状の外輪郭に形成されており、この外輪郭の面が上方から下方にかけて拡がるように傾斜されている。そして、これらの各傾斜面と面接触する傾斜壁が形成された専用締結工具を用いて締め付けておけば、市販の工具では、傾斜した外輪郭を把持できないため、防犯効果が得られるとされている。【０００４】
【特許文献１】特開２０００−２０５２２５号公報
【発明の開示】
【発明が解決しようとする課題】
【０００５】  しかしながら、特開２０００−２０５２２５号公報に記載された発明においては、締め付けの回転トルクは、専用締結工具に形成された傾斜壁と、ボルトやナットの傾斜面との係合だけによって伝達される。従って、ボルトやナットの外輪郭は専用締結工具を引っ掛けるために多角形状または任意の非円弧状に形成しなければならない。本来であれば、最も回転させ難くて防犯効果の高い円錐台形状に形成したいところであるが、円錐台形状にすれば引っ掛かりが形成されず、前記専用締結工具によって回転させられないという問題がある。しかも多角形状に形成するのは製造工程が複雑になり、手間やコストがかかるため実用性がない。【０００６】  また、防犯効果を高める一方で、便宜上、自動販売機の移動する際にはナットやボルトを取り外せなければならない。この場合、取り外すためのトルクは締め付けるためのトルクよりも大きい力が必要であるが、前記先行技術に記載のナットや専用締結工具では、取り外すことは考慮されておらず、回転トルクが伝わりにくいことから取り外すのが極めて難しいという問題がある。【０００７】  さらに、防犯効果を高めるためには、通常のナットの締結・解除に使用されるスパナやモンキーレンチだけではなく、ペンチやプライヤー等の工具を使っても簡単に取り外せるものであってはならない。【０００８】  本発明は、このような問題点を解決するために、セキュリティナットの締め付けが容易であること、通常の工具を使っても簡単に取り外せないこと、専用工具を使えば簡単に取り外せることのいずれかが可能なセキュリティナット締結用工具、セキュリティナット解除用工具、セキュリティナット締結兼解除用工具、およびこれらの工具専用のセキュリティナットを提供することを目的としている。
【課題を解決するための手段】
【０００９】  本発明に係るセキュリティナット締結用工具の特徴は、略円錐台形状に形成されたセキュリティナットをボルトに螺合させて締め付けるために使用するセキュリティナット締結用工具であって、前記セキュリティナットの外周テーパ面を収容する内空間を備えた中空体部と、この中空体部の上部に突出形成された回転用把持部と、この回転用把持部の軸線に沿って前記中空体部の内空間に連通されており前記セキュリティナットの頭部から突出するボルトに螺合する頭部雌ねじ部と、前記中空体部の内壁面に固定されており前記セキュリティナットの外周テーパ面に合わせてほぼ同一の傾斜角度に形成された内周テーパ面を備え、かつ弾力性を備えた弾力性摩擦部材とを有する点にある。【００１０】  そして、このような構成を採用したことにより、セキュリティナットの外周テーパ面に合わせて中空体部を重ねてボルトに頭部雌ねじ部を螺合させながら回転用把持部をレンチ等によって回転させると、締結用補助具が頭部雌ねじ部を介してボルトの雄ねじ部に案内されて締め付け方向に進行し、この締め付けによって弾力性摩擦部材をセキュリティナットの外周テーパ面に押圧し、両者間に弾力的に摩擦力を発生させ、この摩擦力によりセキュリティナットに回転力を伝達して締め付ける。このとき前記テーパ面間は、弾力性を備えた弾力性摩擦部材によって摩擦力を発生させるため食い込んでしまうことがなく、締結補助金具を取り外す方向に回転させてもセキュリティナットを共回りさせることはない。【００１１】  また、本発明に係るセキュリティナット解除用工具の特徴は、略円錐台形状を備えたセキュリティナットをボルトから取り外す際に使用するセキュリティナット解除用工具であって、前記セキュリティナットの外周テーパ面を収容する内空間を備えていると共にその外周テーパ面に合わせてほぼ同一の傾斜角度に形成された内壁面を有する中空体部と、この中空体部の上部に突出形成された回転用把持部と、この回転用把持部の軸線に沿って前記中空体部の内空間に連通されており前記セキュリティナットの頭部から突出しているボルトに螺合する頭部雌ねじ部とを有しており、前記中空体部には、外側面から前記内空間へ貫通された側部雌ねじ孔が形成されていると共に、この側部雌ねじ孔にねじ込まれて前記セキュリティナットの外周テーパ面に係合する係合ねじが備えられている点にある。【００１２】  そして、このような構成を採用したことにより、セキュリティナットを取り外す場合、セキュリティナットが螺合しているボルトの雄ねじ部に頭部雌ねじ部を螺合させて固定しておき、係合ねじを側部雌ねじ孔内に挿入して前記セキュリティナットの外周テーパ面に食い込ませ、中空体部の回転動作に連動し得るように一体化するので、この状態で回転用把持部を取り外し方向に回転させると、回転力をセキュリティナットに伝達でき、セキュリティナットの締結を解除する。【００１３】  また、本発明に係るセキュリティナット締結兼解除用工具の特徴は、略円錐台形状を備えたセキュリティナットをボルトに締め付ける際あるいは締結を解除する際に使用するセキュリティナット締結兼解除用工具であって、前記セキュリティナットの外周テーパ面を収容する内空間を備えた中��体部と、この中空体部の上部に突出形成された回転用把持部と、この回転用把持部の軸線に沿って前記中空体部の内空間に連通されており前記セキュリティナットの頭部から突出しているボルトに螺合する頭部雌ねじ部と、前記中空体部の内壁面に固定され前記セキュリティナットの外周テーパ面に合わせてほぼ同一の傾斜角度に形成された内周テーパ面を備え、かつ弾力性を備えた弾力性摩擦部材とを有しており、前記中空体部には、外側面から前記内空間へ貫通された側部雌ねじ孔が形成されていると共に、この側部雌ねじ孔に連通するように前記摩擦部材にねじ挿入孔が形成されており、前記側部雌ねじ孔にねじ込まれて前記ねじ挿入孔を介して前記セキュリティナットの外周テーパ面に係合する係合ねじが備えられている点にある。【００１４】  そして、このような構成を採用したことにより、締結する場合には、頭部雌ねじ部をボルト雄ねじ部に螺合させて各テーパ面を当接しておき、回転用把持部を回転させて中空体部に締め付け方向の回転力を付与すると、頭部雌ねじ部とボルトの雄ねじ部との螺合により弾力性摩擦部材をセキュリティナットの外周テーパ面に弾力を持って押圧して両者間に摩擦力を発生させ、この摩擦力によりセキュリティナットに回転力を伝達してセキュリティナットを締め付ける。また、解除する場合、頭部雌ねじ部をボルトの雄ねじ部に螺合させて固定し、係合ねじをセキュリティナットの外周テーパ面に係止させて中空体部と一体化させるので、この状態で、回転用把持部を回転させて中空体部に取り外し方向の回転力を付与すると、係合ねじがセキュリティナットの外周テーパ面を把持して回転力を伝達し、セキュリティナットの締結を解除する。【００１５】  また、本発明に係るセキュリティナットの特徴は、請求項１乃至請求項３のいずれかに記載された工具によって締め付け、および解除するための外周テーパ面を備えたセキュリティナットであって、その外周テーパ面のテーパ角度が当該セキュリティナットの軸線方向に対して２７°〜３０°の範囲に形成されている点にある。【００１６】  そして、このような構成を採用したことにより、２７°以上に形成された外周テーパ面は、通常のペンチやプライヤーでは回転させられず、セキュリティナットの取り外しを極めて困難にさせる。また、３０°以下に形成された外周テーパ面は、弾力性摩擦部材から受ける摩擦力や、係合ねじから受ける係止力のうち、軸線に垂直な成分を確保して外周テーパ面を確実に回転させる。しかもセキュリティナットの外径をあまり大きくしなくても軸線方向の高さを確保して、簡単には破損しない強度を得る。【００１７】  また、本発明に係る締結用頭部付セキュリティナットの特徴は、略円錐台形状のテーパナット部の上部に切断部を介して締結用頭部が形成されたセキュリティナットであって、前記テーパナット部には、請求項２または請求項３に記載された工具によって取り外すための外周テーパ面を備えているとともに、その外周テーパ面のテーパ角度が当該セキュリティナットの軸線方向に対して２７°〜３０°の範囲に形成されている点にある。【００１８】  そして、このような構成を採用したことにより、締結する場合には、締結用頭部を市販の工具を使って簡単に締め付���られるし、さらに強く締め付けることで切断部から締結用頭部を切断してテーパナット部のみが強固に締め付けられた状態で残留する。
【発明の効果】
【００１９】  本発明によれば、セキュリティナットの締め付けが容易であること、通常の工具を使っても簡単に取り外せないこと、専用工具を使えば簡単に取り外せることができ、安全性を確保しつつ必要に応じて容易に締結を解除することができるセキュリティナットおよびその専用工具を提供できる。
【発明を実施するための最良の形態】
【００２０】  以下、本発明に係るセキュリティナットの締結用工具１Ａ、解除用工具１Ｂおよび締結兼解除用工具１Ｃの実施形態について図面を用いて説明する。図１は、本発明の第１の実施形態である締結用工具１Ａを示す斜視図であり、図２は正面図、図３は図２の３Ａ−３Ａ断面図である。なお、以下の説明では、円錐台形状に形成されたテーパナットとも呼ばれるセキュリティナットＮと、円錐台形状に形成されたヘッド部を有するテーパボルトＢの締結および解除を行う場合を例にして説明する。【００２１】  図１から図３に示すように、本第１実施形態の締結用工具１Ａは、セキュリティナットＮを収容する内空間２１を備えた中空体部２と、この中空体部２を回転させる回転用把持部３と、この回転用把持部３の軸線に沿って内空間２１に連通された頭部雌ねじ部４と、中空体部２の内壁面２２に固定された弾力性摩擦部材５とから構成されている。【００２２】  本第１実施形態の各構成部についてより詳細に説明すると、中空体部２は、その内壁面２２および外壁面２３がテーパ状に形成されており、この内壁面２２の内側に内空間２１が形成されている。この内空間２１は、セキュリティナットＮの外周テーパ面ｎをほぼ完全に収容するように形成されている。また、中空体部２の上部には、回転用把持部３が突出するように形成されている。この回転用把持部３は、通常のナットと同形状に形成されており、その側面３１はスパナやモンキーレンチなどの市販工具により把持することができる。なお、本第１実施形態では、操作性および汎用性を考慮して回転用把持部３を六角形状に形成しているが、市販工具で把持し得る側面３１であれば四角形や他の多角形もしくは円弧形状であってもよい。【００２３】  回転用把持部３の中央部分の軸線に沿う方向には、中空体部２の内空間２１に連通するように頭部雌ねじ部４が形成されている。この頭部雌ねじ部４は、テーパボルトＢの雄ねじ部ｂと螺合して締結用工具１Ａを雄ねじ部ｂ回りに回転させるとともに、その軸線方向に移動させるようになっている。なお、頭部雌ねじ部４が回転用把持部３を完全に貫通されているか否かは問わない。【００２４】  つぎに、弾力性摩擦部材５は、外周テーパ面ｎへの食い込みを防ぐためと、締結用工具１Ａの離脱を容易にするために弾力性を有しており、セキュリティナットＮの外周テーパ面ｎに向けて押圧されたときに高い摩擦力を生じさせるゴム素材等により構成されている。前記弾力性摩擦部材５は、中空体部２の内壁面２２に合わせてほぼ同一の傾斜角度に形成された外周面５１を有し、その内壁面２２に接着材等によって一体的に固定されている。また、弾力性摩擦部材５の内周面は、外周テーパ面ｎとほぼ同一の傾斜角度に形成された内周テーパ面５２に形成されており、外周テーパ面ｎと完全に面接触し得るようになっている。さらに、頭部雌ねじ部４に対応する位置には凹状の円形穴５３が形成されており、テーパボルトＢの雄ねじ部ｂを導き入れやすくなっている。【００２５】  なお、本第１実施形態では、外周テーパ面ｎを均等に押圧するため、弾力性摩擦部材５の外周面５１および中空体部２の内壁面２２の形状を外周テーパ面ｎとほぼ同一の傾斜角度に形成しているが、これに限られるものではなく、弾力性摩擦部材５が中空体部２に一体的に固定され、かつ、外周テーパ面ｎに合致し得る傾斜角度を備える内周テーパ面５２であれば、どんな形状であってもよい。また、本第１実施形態では、中空体部２と弾力性摩擦部材５との間に、より大きな摩擦力を発生させるため、セキュリティナットＮの外周テーパ面ｎに対して完全に面接触する弾力性摩擦部材５を用いているが、これに限られるものではなく、必要な回転トルクを伝達できるのであれば、周方向に複数個に分割した弾力性摩擦部材５を間隔を空けて配置するようにしてもよい。【００２６】  つぎに、このような構成を備えた本第１実施形態における締結用工具１Ａの作用について図４から図７を参照しつつ説明する。なお、以下の説明では、セキュリティナットＮをテーパボルトＢに締め付ける際の動作を例にして説明する。【００２７】  本第１実施形態の締結用補助具１Ａによって、セキュリティナットＮをテーパボルトＢの雄ねじ部ｂに締め付けて締結物Ｘを被締結物Ｙに締結させる場合、まず、図４に示すように、締結物Ｘおよび被締結物Ｙを連通するように穿孔した下穴ｈにテーパボルトＢを挿通する。つぎに、図５に示すように、テーパボルトＢの雄ねじ部ｂにセキュリティナットＮを軽く螺合させた後、締結用工具１Ａの頭部雌ねじ部４をテーパボルトＢの雄ねじ部ｂに螺合させ、締め付け方向に回転する。そして、図６に示すように、弾力性摩擦部材５の内周テーパ面５２がセキュリティナットＮの外周テーパ面ｎに当接するまで締め付け方向に回転する。このとき、内周テーパ面５２は外周テーパ面ｎに対してほぼ全面で当接するため、より大きい摩擦力が発生させられるようになっている。【００２８】  締結用工具１ＡがセキュリティナットＮに当接した後、スパナ等の市販工具により回転用把持部３の側面３１を把持し、締め付け方向の回転トルクを付与する。すると、回転用把持部３が中空体部２を回転させるとともに、頭部雌ねじ部４が雄ねじ部ｂ回りに回転して中空体部２をセキュリティナットＮ側に移動させるため、弾力性摩擦部材５はセキュリティナットＮに強く押圧されながら回転する。これにより、弾力性摩擦部材５とセキュリティナットＮの間には大きな摩擦力が発生し、この摩擦力がセキュリティナットＮを締め付け方向に回転させ、強固に締結させるようになっている。【００２９】  締結作業が完了した後、回転用把持部３に取り外し方向の回転トルクを付与する。このとき、弾力性摩擦部材５が緩衝材の役割を果たすため、セキュリティナットＮを共回りさせることなく締結用補助具１ＡはセキュリティナットＮから離脱する方向に移動する。そのため、弾力性摩擦部材５とセキュリティナットＮの間には摩擦力が発生しないので、締結用工具１Ａだけが取り外される。ここで、もし、セキュリティナットＮの外周テーパ面ｎとの当接面に弾力性を有さない部材を設けると、締め付け作業により両者が互いに噛み合ってしまう。そのため、取り外し方向に回転させると両者が共回りしてセキュリティナットＮも外れてしまう。また、弾力性を備えることにより、本補助具１Ａを離脱させる際に、セキュリティナットＮに対しては締結部材方向に弾力を付与し、離脱方向へは後押しする力を付与すること���なり離脱作業が確実で容易に行える。したがって、本第１実施形態では、弾力性摩擦部材５は弾力性を有する部材により形成することを要する。【００３０】  以上のような作業により、図７に示すように、セキュリティナットＮは締結物Ｘと被締結物Ｙを狭持した状態でテーパボルトＢと強固に締結される。そして、この状態では、通常のスパナやペンチ等によって解除することができないため一般人が締結を解除することは極めて困難となる。【００３１】  以上のような本第１実施形態によれば、弾力性摩擦部材５をセキュリティナットＮの外周テーパ面ｎに密接させて高い摩擦力を発生させ、その摩擦力により回転トルクを伝達するので、防犯性の高いセキュリティナットＮを雄ねじ部ｂに強固に締め付けることができる。【００３２】  つぎに、本発明に係るセキュリティナットの解除用工具の第２の実施形態について図面を用いて説明する。図８は、第２実施形態であるセキュリティナットの解除用工具１Ｂを示す斜視図であり、図９は正面図、図１０は図９の１０Ａ−１０Ａ断面図である。なお、本第２実施形態の構成のうち、前述した第１実施形態の構成と同一若しくは相当する構成については同一の符号を付して再度の説明を省略する。【００３３】  図８乃至図１０に示すように、本第２実施形態の解除用工具１Ｂの特徴は、主に、セキュリティナットＮの締結を解除する工具として使用するため、係合ねじ６とこれをねじ込む側部雌ねじ孔７を備えている点にある。係合ねじ６は、とがり先を有する六角穴付き止めねじを使用しており、その先端が鋭角状に形成されているとともに、側部雌ねじ孔７と螺合する雄ねじ部６１が形成されている。また、この係合ねじ６の後端には、締め付け用の六角穴６２が形成されており、六角棒レンチ等により回転させられるようになっている。一方、側部雌ねじ孔７は、中空体部２の外壁面２３と内壁面２２を連通するように形成されており、係合ねじ６の先端を中空体部２の内壁面２２から突出させられるようになっている。【００３４】  また、解除用工具１Ｂは、弾力性摩擦部材５が設けられていないため、中空体部２の内壁面２２がセキュリティナットＮの外周テーパ面ｎに合わせてほぼ同一の傾斜角度に形成されている。これにより、内壁面２２が外周テーパ面ｎとほぼ完全に面接触するようになっている。また、側部雌ねじ孔７は、内壁面２２の周方向において１２０°の等角度間隔で３つ形成されており、セキュリティナットＮをより安定的に係止し得るようになっている。【００３５】  つぎに、本第２実施形態における解除用工具１Ｂの作用について図１１から図１４を参照しつつ説明する。なお、以下の説明では、締結物Ｘおよび被締結物Ｙを締結した状態の円錐台形状のセキュリティナットＮを円錐台形状のヘッド部を有するテーパボルトＢから取り外す際の動作を例にして説明する。【００３６】  本第２実施形態の解除用工具１Ｂを使用してセキュリティナットＮをテーパボルトＢから取り外す場合、まず、図１１に示すように、解除用工具１Ｂの頭部雌ねじ部４をテーパボルトＢの雄ねじ部ｂに螺合させながら回転させる。このとき、係合ねじ６は側部雌ねじ孔７に軽く螺合されており、その先端は内壁面２２から突出していない。【００３７】  つぎに、中空体部２の内壁面２２がセキュリティナットＮの外周テーパ面ｎに当接するまで回転させた後、図１２に示すように、係合ねじ６の六角穴６２に図示しない六角棒レンチを差し込み、側部雌ねじ孔７にねじ込む。このとき、解除用工具１Ｂは、頭部雌ねじ部４を雄ねじ部ｂに螺合させているため、テーパボルトＢの軸線方向に移動しないようになっている。そのため、係合ねじ６は、側部雌ねじ孔７にねじ込まれても解除用工具１ＢをセキュリティナットＮから浮かせることがなく、その先端を内壁面２２から突出させ、セキュリティナットＮの外周テーパ面ｎに食い込んで係止する。ここで、本第２実施形態では、側部雌ねじ孔７の軸線方向が内壁面２２に対して垂直となるように形成されている。これにより、係合ねじ６が外周テーパ面ｎに対して略垂直に突出されるので、より確実で強力に外周テーパ面ｎを係止する。【００３８】  つづいて、スパナ等の通常の工具を使用して回転用把持部３の側面３１を把持し、解除方向に回転させる。すると、図１３に示すように、係合ねじ６に係合されているセキュリティナットＮも解除用工具１Ｂと共に回転する。これにより、係合ねじ６はセキュリティナットＮの外周テーパ面ｎ上を滑ることなく、セキュリティナットＮを取り外し方向に回転させ、強固な締結状態を簡単に解除できる。また、締結を解除した後は、図１４に示すように、係合ねじ６を取り外して側部雌ねじ孔７内に引っ込ませ、セキュリティナットＮを解除用工具１Ｂから離脱させる。【００３９】  以上のような本第２実施形態によれば、通常の工具では滑って取り外せないセキュリティナットＮに対し、係合ねじ６を外周テーパ面ｎに食い込ませることで高い把持力を発生させ、その把持力により回転トルクを伝達するので、強く締め付けられているセキュリティナットＮであっても簡単に緩めて取り外すことができる。【００４０】  つぎに、本発明に係るセキュリティナットの締結兼解除用工具１Ｃの第３の実施形態について図面を用いて説明する。図１５は、第３実施形態の締結兼解除用工具１Ｃを示す斜視図であり、図１６は正面図、図１７は図１６の１７Ａ−１７Ａ断面図である。なお、本第３実施形態の構成のうち、前述した第１実施形態および第２実施形態の構成と同一若しくは相当する構成については同一の符号を付して再度の説明を省略する。【００４１】  図１５乃至図１７に示すように、本第３実施形態の締結兼解除用工具１Ｃの特徴は、セキュリティナットＮを締め付ける作業と、締結を解除する作業の両方に兼用できるよう、弾力性摩擦部材５と係合ねじ６および側部雌ねじ孔７をそれぞれ備えている点にある。弾力性摩擦部材５には、側部雌ねじ孔７に対応する位置にねじ挿入孔５４が形成されており、係合ねじ６を挿通してその先端を内周テーパ面５２から突出させられる。【００４２】  本第３実施形態の締結兼解除用工具１Ｃによって、セキュリティナットＮを締め付ける場合、係合ねじ６の先端を弾力性摩擦部材５の内周テーパ面５２から突出しない状態にする。これにより、第１実施形態の締結用工具１Ａと同様に、弾力性摩擦部材５とセキュリティナットＮの間に生じる摩擦力により回転トルクを伝達し、セキュリティナットＮを強固に締め付けることができる。一方、セキュリティナットＮを取り外す場合、係合ねじ６の先端を弾力性摩擦部材５の内周テーパ面５２から突出させる。これにより、第２実施形態の解除用工具１Ｂと同様に、係合ねじ６がセキュリティナットＮに係止されて生じる把持力により回転トルクを伝達し、強固に締め付けたセキュリティナットＮを緩めて取り外すことができる。【００４３】  以上のような本第３実施形態によれば、セキュリティナットＮの締め付け作業と、セキュリティナットＮの締結を解除する作業の双方を兼用することができる。【００４４】  つぎに、上述した各実施形態で使用されるセキュリティナットＮの実施形態について説明する。前述した各本実施形態の工具１Ａ，１Ｂ，１Ｃは、外周テーパ面ｎの傾斜が合えば各種のセキュリティナットＮに使用することが可能である。しかし、セキュリティナットＮと称される製品の中には、十分なセキュリティが確保できない製品や専用工具を使用しても締め付けや解除がし難い製品が存在する。特に、外周テーパ面ｎが垂直に近い傾斜角に形成されている製品が存在するが、ペンチによって容易に取り外せてしまうため、十分な安全性が確保されているとはいえない。逆に、外周テーパ面ｎが水平に近い傾斜角に形成されている製品は、高さが小さいため強度が弱くなるし、締め付けや取り外しの作用力が伝達しにくいため作業性が悪い。【００４５】  そこで、本願発明者は、上記各問題点を考慮して試行錯誤を繰り返した結果、外周テーパ面ｎのテーパ角度について、最適な角度範囲を見い出した。具体的には、図１８に示すように、外周テーパ面ｎのテーパ角度が、セキュリティナットＮの軸線方向に対して、２８°〜２９°の角度となるように形成することが好ましい。そして、この角度範囲は、製造誤差等を考慮しても、少なくとも２７°〜３０°に設定されていれば所望の効果が得られる。なお、本実施形態では、ＪＩＳ（Ｊａｐａｎｅｓｅ  Ｉｎｄｕｓｔｒｉａｌ  Ｓｔａｎｄａｒｄ）によるサイズがＭ８またはＭ１０のセキュリティナットＮでは２９°に設定しており、Ｍ１２のセキュリティナットＮでは２８°に設定している。【００４６】  このような外周テーパ面ｎの傾斜角に形成することにより、２７°以上の角度であれば、市販のペンチやプライヤー等のように平行な狭持面を有する工具を使用すると、その狭持面と外周テーパ面ｎとの接触面積が著しく小さくなるため、回転させるのに十分な摩擦力が得られず、市販の工具によるセキュリティナットの取り外しを極めて困難にさせられる。【００４７】  一方、３０°以下の角度で外周テーパ面ｎを形成することにより、締め付ける際に弾力性摩擦部材５から受ける摩擦力や、取り外す際に係合ねじ６から受ける係止力のうち、軸線に垂直な成分が確保されるため、外周テーパ面ｎを確実に回転させられる。しかもセキュリティナットＮの外径をあまり大きくしなくても軸線方向の高さを確保することができ、簡単には破損しない強度を得ることができる。【００４８】  なお、セキュリティナットＮの締結用工具１Ａおよび締結兼解除用工具１Ｃにおける内周テーパ面５２や、解除用工具１Ｂの内壁面２２は、上記外周テーパ面ｎの傾斜角に合わせて２７°〜３０°の範囲内に形成されている。【００４９】  ま���、上述した各実施形態では、単なる円錐台形状のセキュリティナットＮを使用する場合について説明したが、図１９および図２０に示すような、締結用頭部ｎ２を備えた締結用頭部付セキュリティナットＮ’を使用してもよい。この締結用頭部付セキュリティナットＮ’は、セキュリティナットＮと同等の構成を有するテーパナット部ｎ１と、通常のナットと同形状に形成される締結用頭部ｎ２と、この締結用頭部ｎ２とテーパナット部ｎ１との間に形成された切断部ｎ３とから構成されている。そして、切断部ｎ３は、所定の回転力が加わると破断して締結用頭部ｎ２をテーパナット部ｎ１から分離するようになっている。【００５０】  この締結用頭部付セキュリティナットＮ’を締め付ける場合、図２１に示すように、締結用頭部ｎ２をスパナ等の市販の工具を使って簡単に締め付けられる。そして、図２２に示すように、さらに強く締め付けることによって切断部ｎ３から締結用頭部ｎ２を切断することができる。これにより、テーパナット部ｎ１のみが強固に締結された状態で残留するものである。一方、この締結用頭部付セキュリティナットＮ’を取り外す場合には、本発明に係る解除用工具１Ｂまたは締結兼解除用工具１Ｃを使用すれば簡単に取り外すことができる。もちろん、締結用頭部付セキュリティナットＮ’におけるテーパナット部ｎ１の外周テーパ面ｎも、図２０に示すように、２７°〜３０°の傾斜角範囲に形成されていることが好ましい。【００５１】  なお、本発明に係るセキュリティナットの締結用工具１Ａ、解除用工具１Ｂ、締結兼解除用工具１Ｃ、およびこれらの工具専用のセキュリティナットは、前述した実施形態に限定されるものではなく、適宜変更することができる。【００５２】  例えば、上述した第２実施形態および第３実施形態では、係合ねじ６および側部雌ねじ孔７をそれぞれ周方向に３つ形成しているが、これに限られるものではなく、他の個数にしてもよい。【００５３】  また、各実施形態では、主としてセキュリティナットＮに被せて締結および解除することを考慮しているが、ボルトヘッドが円錐台形状に形成されたテーパボルトＢの締め付けに応用することも可能である。
【図面の簡単な説明】
【００５４】
【図１】本発明に係る締結用工具の第１の実施形態を示す斜視図である。
【図２】本第１実施形態の締結用工具の正面図である。
【図３】図２の３Ａ−３Ａ線における断面図である。
【図４】本第１実施形態の締結用工具の使用方法を示す説明図である。
【図５】本第１実施形態の締結用工具の使用方法を示す説明図である。
【図６】本第１実施形態の締結用工具の使用方法を示す説明図である。
【図７】本第１実施形態の締結用工具の使用方法を示す説明図である。
【図８】本発明に係る解除用工具の第２の実施形態を示す斜視図である。
【図９】本第２実施形態の解除用工具の正面図である。
【図１０】図９の１０Ａ−１０Ａ線における断面図である。
【図１１】本第２実施形態の解除用工具の使用方法を示す説明図である。
【図１２】本第２実施形態の解除用工具の使用方法を示す説明図である。
【図１３】本第２実施形態の解除用工具の使用方法を示す説明図である。
【図１４】本第２実施形態の解除用工具の使用方法を示す説明図である。
【図１５】本発明に係る締結兼解除用工具の第３の実施形態を示す斜視図である。
【図１６】本第３実施形態の締結兼解除用工具の正面図である。
【図１７】図１６の１７Ａ−１７Ａ線における断面図である。
【図１８】本発明に係るセキュリティナットの実施形態を示す正面図である。
【図１９】本発明に係る締結用頭部付セキュリティナットの実施例を示す斜視図である。
【図２０】本発明に係る締結用頭部付セキュリティナットの実施例を示す正面図である。
【図２１】本実施形態の締結用頭部付セキュリティナットの使用方法を示す説明図である。
【図２２】本実施形態の締結用頭部付セキュリティナットの使用方法を示す説明図である。
【符号の説明】
【００５５】  １Ａ  締結用工具
１Ｂ  解除用工具
１Ｃ  締結兼解除用工具
２  中空体部
３  回転用把持部
４  頭部雌ねじ部
５  弾力性摩擦部材
６  係合ねじ
７  側部雌ねじ孔
２１  内空間
２２  内壁面
２３  外壁面
３１  側面
５１  外周面
５２  内周テーパ面
５４  ねじ挿入孔
６１  雄ねじ部
Ｂ  テーパボルト
Ｎ  セキュリティナット
ｎ  外周テーパ面
Ｎ’  締結用頭部付セキュリティナット
ｎ１  テーパナット部
ｎ２  締結用頭部
ｎ３  切断部
【図１】
0004431773.tif 000002
【図２】
0004431773.tif 000003
【図３】
0004431773.tif 000004
【図４】
0004431773.tif 000005
【図５】
0004431773.tif 000006
【図６】
0004431773.tif 000007
【図７】
0004431773.tif 000008
【図８】
0004431773.tif 000009
【図９】
0004431773.tif 000010
【図１０】
0004431773.tif 000011
【図１１】
0004431773.tif 000012
【図１２】
0004431773.tif 000013
【図１３】
0004431773.tif 000014
【図１４】
0004431773.tif 000015
【図１５】
0004431773.tif 000016
【図１６】
0004431773.tif 000017
【図１７】
0004431773.tif 000018
【図１８】
0004431773.tif 000019
【図１９】
0004431773.tif 000020
【図２０】
0004431773.tif 000021
【図２１】
0004431773.tif 000022
【図２２】
0004431773.tif 000023